【事件の表示】
　特願２００３−１２５３４１号「個人差対応型空気調節システム」拒絶査定不服審判事件〔平成１６年１１月２５日出願公開、特開２００４−３３２９５４号〕について、次のとおり審決する。
【結　論】
　本件審判の請求は、成り立たない。
【理　由】
１．手続の経緯  
　本件に係る出願（以下「本願」という。）は、平成１５年４月３０日の特許出願であって、平成２０年６月３０日付けで拒絶査定がなされ（発送日：同年７月８日）、これに対し、同年７月２２日に拒絶査定不服審判の請求がなされたものである。  
 　 
２．本願発明について
　本願の請求項１に係る発明（以下「本願発明」という。）は、平成１９年１２月１２日付け手続補正書により補正された明細書および図面の記載からみて、その特許請求の範囲の請求項１に記載された事項により特定される次のとおりのものである。
　「高温側スリット入電極露出板(223)と低温側スリット入電極露出板(224)により接合されたｐ型熱電半導体(221)とｎ型熱電半導体(222)とからなる冷風器(22)と、吸引モータ(231)と吸引プロペラ(232)とからなり吸気穴(51)から室内に入ってきた空気を電気絶縁材の吸気ホース(24)の中に吸引し電気絶縁材煙突(26)側と電気絶縁材送風ダクト(27)側とに分ける吸引器(23)と、吸気ホース(24)と冷風ノズル(25)と電気絶縁材煙突(26)と人の在不在を感知して電源を自動的に操作する感熱素子(28)と温度調節器(29)からなる個々の机の上の卓上冷房装置(21)と、
　室内の高温暖気を一括して室外に排気するための天井に取り付けた排気ホース(31)と、
　排気ホース(31)に付帯せる各机の直上の吸気ノズル(32)と、
　排気用換気扇風機(41)と、
　排気用換気扇風機(41)の対角位置の吸気穴(51)からなる、
　電気絶縁材煙突(26)の上昇気流で感染者が放出する感染物質を吸気ノズル(32)に伝送放出し感染症の伝播を緩和することを特徴とする感熱素子(28)付き個人差対応型空気調節システム。」
　
３．刊行物について
(1)原査定の拒絶の理由に引用され、本願の出願日前に頒布された刊行物である特開平２−３７２３１号公報（以下「刊行物１」という。）には、図面と共に以下の事項が記載されている。
a)「（産業上の利用分野）
　本発明はオフイスの室内における
個々の事務机等に組込まれ、局所空調を行なう局所冷暖房機
（従来の技術）
　オフイスにおける空調装置は、一般に天井吹出、天井吸込または壁吸込形式の室全体空調となっている。
（発明が解決しようとする課題）
　従って前記従来の空調装置では、冷気が床面に滞留し、夏、冬共足元が冷えるという現象が生じ、更に什器の配置等によって平面的にも温度分布が不均一になってしまう場合が多い。
　また仮に室全体を均一な温熱環境にすることができたとしても、個人差があるために室内の全員が満足するような環境とはならない。
　本考案は前記従来技術の有する問題点に鑑みて提案されたもので、その目的とする処は、
室内の上下温度分布を解消し、個人の好みの温熱環境を作り出すことができる補助空調装置としての局所冷暖房機を提供する
b)「（実施例）
　以下本発明を図示の実施例について説明する。
　(A)はパーテイシヨン型の事務机で、その側壁を構成する中空のパネル(1)の内部中央に断熱材より構成され、且つ
ペルチエ効果を有する熱電素子(2)を具えた仕切壁(3)
　前記供給側空間(a)には供給側フアン(4)が内蔵されるとともに、前記熱電素子(2)の一面に接する供給側フイン(5)が配置され、下部には供給側空気の
吸込口(6)が配設され
　一方、排出側空間(b)には排出側フイン(8)が内蔵され、前記熱電素子(2)に接触し、且つ供給側フイン(5)と直交する排出側フイン(9)が配置され、一側部の下部には
排出側吸込口(10)が配設され
　而して前記
熱電素子(2)は
供給側空気の流れる方向に沿って所定間隔毎に配列されている
　図示の実施例は前記したように構成されているので、前記熱電素子(2)に直流電流を流すと同時に、
供給側フアン(4)及び排出側フアン(8)
　一方、排出側吸込口(10)より吸込側空間(b)に吸込まれた排出側
空気は、吹出口(11)より排出される
　なお前記熱電素子(2)に対する直流電源の＋、−を替えることによって、温風と冷風の吹出しが切替えられる。
　次に図示の装置の使用例を挙げる。
　冷房時には室内全体の空調の設定温度をやや高くして行なう。この場合、例えば高令者、女性等、やや高温を好む人には本装置を使用せずに快適な温熱環境が得られる。
　またこの設定では暑いと感ずる人は本装置を使用する。
　而して冷房時には冷気は床面近傍に滞留する傾向にあるので、このような場合は、供給側空間(a)における下部吹出口(7b)を同吹出口(7b)に装架された開閉翼装置によって閉塞し、
上部吹出口(7a)より冷風を吹出す
　なお吹出口を自動的に風向が変えられる首振り装置とすることもできる。
　次に暖房時には室内全体の空調をやや低い温度で行ない、より高い温度を好む者は本装置を稼動させる。
　一般に下半身の方が寒く感じることが多いので、上部吹出口(7a)を閉じ、下部吹出口(7b)より温風を吹出すことによって、事務机(A)の天板(1)の下部に暖気がこもり、頭寒足熱の快適な環境が得られる。
　いずれの場合も、
排出空気はやや速い吹き出し風速により、室上部に吹出し、全体空調の吸込口より吸込み、負荷を処理する
　而して前記実施例においては第５図に示すように、熱電素子(2)が千鳥状に配列され、各列の熱電素子(2)が供給側フイン(5)に沿って所定間隔毎に直列に配列され、排出側フイン(9)は供給側フイン(5)と直交するように配列されているので、冷房時、供給側フイン(5)を通過する供給側空気は、直列に配置された複数の熱電素子(2)の吸熱側を通り、徐々に冷却されていく。
　このとき、排出側空気を直列に配置した熱電素子(2)の上を通すと、同熱電素子の排出側空間に臨む面は放熱側となるので、排気側空気が徐々に昇温し、排気例の温度が高いと、熱電素子(2)の冷却側の温度も高くなってしまい、供給側冷風の温度を下げることができなくなってしまう。
　しかしながら前記実施例によれば、熱電素子(2)が千鳥状に配置されているので、排出側の空気が排出側フイン(9)を通過する際、１つの熱電素子(2)の上を通過した後は、次の列の相隣る熱電素子(2)の中間を通り抜け、排出側空気の温度上昇が抑制され、この結果、供給側の冷風の温度上昇が防止される。
　前記と同様の理由によって、熱電素子(2)への直流電源の＋、−を切替え、供給側空間より温風を吹出す際にも、同温風の昇温効果が挙げられる。
　なお前記実施例においては６個の熱電素子(2)が使用されているが、同熱電素子(2)の数は必要とする装置の能力によって決められるものである。」（第2頁左下欄第13行〜第3頁右下欄第1行）
c)「（発明の効果）
　本発明は前記したように、オフイスの室内に設置される
机卓
　またペルチエ効果を有する熱電素子を使用したことにより、暖冷房の切替操作が簡単に行なわれる。
　更にまた供給側空間における吹出口を上下一双の吹出口より構成したことによって、頭寒足熱の理想的な温熱環境が得られる。
　請求項２の発明は前記供給側フインと排出側フインとを直交するとともに、前記熱電素子を千鳥状に配列し、各列における熱電素子を供給側フインに沿って直列に配設したことによって、熱電素子による吸排熱効果を改善し、局部冷暖房効果を向上するものである。」（第2頁右下欄第2行〜第3頁左上欄第5行）
d)上記摘記事項bの記載および第２図の図示内容によると、供給側フイン５出口と冷風を吹き出す上部吹出口７ａとの間を接続する垂直方向に立ち上がる
供給側ダクト
下流側に向けて水平方向から垂直方向に立ち上がる排出側ダクト
室内空気を吸込口(6)から電動機により駆動される供給側フアン４により吸い込み、供給側ダクトに導き、同じく、室内空気を排出側吸込口(10)から電動機により駆動される排出側フアン８により吸い込み、排出側ダクトに導く吸込手段
　
　上記摘記事項a〜dの記載事項および図示内容を総合勘案すると、刊行物１には、次の発明が記載されていると認められる。
「室内の上下温度分布を解消し、個人の好みの温熱環境を作り出すことができる補助空調装置としての局所冷暖房機を提供することを目的として、
　供給側空気の流れる方向に沿って所定間隔毎に配列されているペルチエ効果を有する熱電素子2と、
　室内空気を吸込口6から電動機駆動される供給側フアン4により吸い込み、供給側ダクトに導き、同じく、室内空気を排出側吸込口10から電動機駆動される排出側フアン8により吸い込み、排出側ダクトに導く吸込手段と、
　冷風を吹き出す上部吹出口7aと下流側に向けて水平方向から垂直方向に立ち上がる排出側ダクトからなる個々の机卓に組み込まれる局所冷暖房機で、
　吹出口11から排出される排出空気は、やや速い風速により室上部に吹出され、全体空調の吸込口より吸込まれて負荷が処理される
　局所空調を行なう局所冷暖房機。」
　
(2)同じく、原査定の拒絶の理由に引用され、本願の出願日前に頒布された刊行物である特開平７−２５３２２４号公報（以下「刊行物２」という。）には、図面と共に以下の事項が記載されている。
a)「【産業上の利用分野】本発明は、熱電変換素子を利用して冷風及び温風を発生させる冷暖房装置に関する。
【従来の技術】従来のこの種の技術としては、特開平１−２００１２２号公報に開示される技術が知られている。これは、熱電変換素子の両熱交換面に接触する熱交換手段の近傍に送風手段をそれぞれ配設し、ファンからの風を上方に向けて開口した上吹き出し口及び略下方に向けて開口した下吹き出し口より吹き出させ、使用者の好みに合わせた局所冷暖房装置を提供している。
【発明が解決しようとする課題】上記した従来の技術では、両熱交換手段の近傍に送風手段を配設して、この送風手段からの風を吹き出し口より吹き出すことにより室を冷暖房する装置であるため、送風手段は必然的に二つ必要になってくる。このため、構造が複雑となってコスト高となったり、多くの電力が必要になるといった問題がある。
　本発明は、
低コスト且つ低電力の冷暖房装置の提供を技術的課題とする
b)「【実施例】本発明に係る一実施例を図面に基づいて説明する。
　図に示すように、冷暖房装置１０は学習机１１の裏側に取り付けられていて、机の前方（図１中手前側）に吹き出し口１２、１３が設けられ、机１１に座っている人に向けて局部的に冷暖房できる構成となっている。
　
冷暖房装置１０は、熱電変換素子であるペルチェ素子１４と
ファン１８と
分割手段を構成しファン１８からの風を第１フィン１６と第２フィン１７とに分ける仕切板１９と
第１フィン１６上を通過した風が吹き出るための吹き出し口１２、１３とから構成され
　ペルチェ素子１４の図中上方及び下方には、第１フィン１６と第２フィン１７との間で熱が伝達されないようにするための断熱材２０が配設され、この断熱材２０は両フィン１６、１７によって狭持されている。
　ファン１８は、机１１の前面に設けられた
電源スイッチ２１
　仕切板１９は、冷暖房装置１０のケース１０ａに設けられているピン２２を中心に回動自在となっている。更に仕切板１９は、
机１１の前面に設けられた温度調節つまみ２３
　仕切板１９の角度を変化させると第１フィン１６及び第２フィン１７に当たる風量が変化させられる。例えば、第１フィン１６より吸熱が行われているときには第２フィン１７が放熱していて、この放熱効果を高めることにより第１フィン１６の吸熱効果が向上し第１フィン１６上を通過する風の吸熱量が増加する。これにより、吹き出し口１２又は１３より吹き出す風の温度が低下する。
　吹き出し口１２は、冷暖房装置１０のダクト１０ｂ及びベローズ２４を介して風向き切換部材２５に接続されている。風向き切換部材２５は、伸縮部材２６ａにより机１１から突出可能な照明２６と連接ピン２７を介して接続され且つ可撓性を有したベローズ２４を有した構成により、照明２６と一体的に動く構成にできるため照明２６の邪魔になることがなく、更に風量が少ないときにも照明２６を机１１から突出させることにより使用者に近づけることができて、冷風は更に冷たく、温風は更に暖かく使用者に体感させることができる。又、風向き切換部材２５は、連接ピン２７を中心に水平方向に回動自在、且つ、吹き出し口１２と風向き切換部材２５とを接続するピン２８を中心に上下方向に回動自在となっている。一方、吹き出し口１３は、ダクト１０ｂの途中に連通している。又、ダクト１０ｂの途中には、ファン１８からの風が吹き出し口１２及び１３のいずれかより吹き出させるための弁２９が設けられている。この弁２９は、机１１の全面に設けられた吹き出し口切換スイッチ３０と連動して動作する駆動装置（図示省略）、例えばモータやソレノイドにより動きが制御される。
　尚、本発明においては、第１及び第２熱交換手段としてフィン１６、１７を用いているが、特にこれに限定するものではなく、板状でもよい。
　上記構成の本実施例においては、電源スイッチ２１がオンされると、ペルチェ素子１４に通電されると共にファン１８が回転する。このとき、ペルチェ素子１４の第１熱交換面１４ａが吸熱面となっていれば、フィン１６を通過する風が吸熱されて
吹き出し口１２又は１３より冷風が送られる
　又、本実施例では、
冷暖房装置が学習机に取り付けられている
　又、本実施例では、仕切板１９によってファン１８からの風をフィン１６側と１７側に分割したことにより、ファンが一つで済むため構造が簡素で低コスト、並びに、低電力である。」（段落【0007】〜【0018】）
c)「【発明の効果】本発明においては、送風手段からの風を第１熱交換手段側と第２熱交換手段側とに分ける分割手段を備えたことによって
送風手段が一つで済むため、構造が簡素で低コスト、並びに低電力な冷暖房装置が提供される。
d)上記摘記事項bの記載、【図2】の図示内容、および、ファン18が電動機により駆動されることは明らかであることよると、刊行物２には、
ケース10aのうち、上流側部分に電動機駆動されるファン18と仕切板19が内蔵されること
　
　上記a〜dの記載事項および図示内容を総合勘案すると、刊行物２には、次の発明が記載されていると認められる。
「低コスト且つ低電力の冷房装置を提供する事を技術的課題とし、
　熱電変換素子であるペルチェ素子14と、
　電動機駆動されるファン18とファン18からの風を第１フィン16と第２フィン17とに分ける分割手段を構成する仕切板19とからなる手段と、
　ケース10aのうち、ファン18と仕切板19が内蔵される上流側部分と、
　第１フィン16上を通過した冷風が吹き出るための吹き出し口12、13と、
　電源スイッチ21と、
　温度調節つまみ23とから構成され、
　送風手段が一つで済むため、構造が簡素で低コスト、並びに低電力な冷暖房装置が提供される
　学習机に取り付けられる冷暖房装置10。」
　
(3)同じく、原査定の拒絶の理由に引用され、本願の出願日前に頒布された刊行物である特開平３−２０５５１号公報（以下「刊行物３」という。）には、図面と共に以下の事項が記載されている。
a)「２．特許請求の範囲
　
熱源上方の天井面に設けた開口と、該開口から便所の排気路に連通する排気路と
室内空気の排気構造
b)「〈発明が解決しようとする課題〉
　従って、例えば冷房の際には各機器からの発熱量をカバーし、更にその他換気によって失われる熱量も供給しなければならないという事情が発生し、空調機を運転維持するための運転費用が嵩む欠点があった。
　本発明は上記事情に鑑みてなされたものであって、その目的は熱効率の良い空調設備を提供できる室内空気の排気構造を提供することにある。」（第1頁右下欄第8行〜同第16行）
c)「第１図に居室空間の断面を示し、上の階の床スラブ１から下の方へ離して吊り下げた吊り天井２の所々には排気用の開口部３が設けてあって、この開口３は便所の
排気ファン４
　すなわち、排気路５は開口３から便所の排気路に連通する排気路であって、排気ファン４による負圧に保たれた排気チャンバーとして考えられる。また、開口３の設定位置は室内に設けたオフィスオートメ機器やコピー機等の
熱源６の真上
d)「〈効　果〉
　以上、詳細に説明したように、本発明に係る室内空気の排気構造によれば熱源上方の天井面に設けた開口がダンパーを挟んで便所の排気路に連通するために、便所の排気に室内の排熱を重畳させるので、格別の排気ファンを設けることなく、またこの排気用のダンパーが熱源の上方に位置するので、効率よく排熱することができる。」（第2頁右下欄第12行〜同第19行）
　
　上記a〜dの記載事項および図示内容を総合勘案すると、刊行物３には、次の技術事項が記載されていると認められる。
「熱源６の真上の天井面に設けた開口と、
　該開口から便所の排気路に連通する排気路と、
　排気ファン４と
　からなる室内空気の排気構造。」
　
(4)同じく、原査定の拒絶の理由に引用され、本願の出願日前に頒布された刊行物である特開平２−１７１５３５号公報（以下「刊行物４」という。）には、図面と共に以下の事項が記載されている。
a)「［従来の技術］
　従来、この種の
換気システム
天井に外気と連通する換気扇（イ）、壁の一部に新鮮空気を部屋に導入する導入口（ロ）を設け
［発明が解決しようとする課題］
　上記のものは、例えば第６図に示した例では瞬間拡散モデルとして知られているもので
導入された新鮮空気は部屋内の汚れた空気と瞬時に混合し換気扇から外へ排気される
　　　　σ＝ｅ−Ｇｔ／Ｖ　　　　ここに　σ：部屋の相対濃度
　　　　　　　　Ｇ：換気量
　　　　　　　　Ｖ：部屋の容積
　　　　　　　　ｔ：時間
　上式で示されるように部屋の汚れがひどい時（高濃度汚れの時）は、効率良く換気されるが低濃度になるにつれ効率は悪くなるという問題点があった。また第７図に示した例では、プッシュ・プル換気として知られているもので、新鮮空気と汚れた空気が混合しないように新鮮空気で汚れた空気を押しだすので高効率であるが部屋容量が大きくなり相対的に風量が小さくなると窓部（ハ）の影響を受け直線流が乱れ、新鮮空気と汚れた空気が混合し効率が低下するという問題があった。」（第1頁右下欄第1行〜第2頁左上欄第15行）
b)上記摘記事項aおよび第6図の図示内容によると、
換気扇（イ）の対角線位置に導入口（ロ）が設けられている
　
　上記摘記事項aの記載事項および第6図の図示内容を総合勘案すると、刊行物４には、次の技術事項が記載されていると認められる。
「天井に外気と連通する換気扇（イ）、換気扇（イ）の対角線位置の壁の一部に導入口（ロ）を設け、導入口（ロ）から新鮮空気を部屋に導入し、
　導入された新鮮空気は部屋内の汚れた空気と瞬時に混合し換気扇から外へ排気される
　換気システム。」
　
３．対比
　本願発明と刊行物１に記載された発明とを対比する。
A)刊行物１に記載された発明の「供給側空気の流れる方向に沿って所定間隔毎に配列され、仕切壁に具えられているペルチエ効果を有する熱電素子2」と本願発明の「高温側スリット入電極露出板(223)と低温側スリット入電極露出板(224)により接合されたｐ型熱電半導体(221)とｎ型熱電半導体(222)とからなる冷風器(22)」とは、後者の冷風器(22)について、本願明細書に「冷風器（２２）としてペルチェ効果を利用した電子冷熱器を選定した」（段落【0005】）と記載されていることから、両者は、「ペルチェ効果を有する熱電素子」である点で共通し、以下同様に、
B)「室内空気を吸込口6から電動機駆動される供給側フアン4により吸い込み、供給側ダクトに導き、同じく、室内空気を排出側吸込口10から電動機駆動される排出側フアン8により吸い込み、排出側ダクトに導く吸込手段」と「吸引モータ(231)と吸引プロペラ(232)とからなり吸気穴(51)から室内に入ってきた空気を電気絶縁材の吸気ホース(24)の中に吸引し電気絶縁材煙突(26)側と電気絶縁材送風ダクト(27)側とに分ける吸引器(23)」とは、下記Dを考慮すると、「モータと吸引プロペラとからなる室内空気を送風側と煙突側とに送出し可能な吸込器」である点で、
C)「冷風を吹き出す上部吹出口7a」と「冷風ノズル(25)」とは、「冷風吹出口」である点で、
D)「下流側に向けて水平方向から垂直方向に立ち上がる排出側ダクト」と「電気絶縁材煙突(26)」とは、前者の「排出側ダクト」は、排出側ダクトに設けた吹出口11から排出空気がやや速い風速により、室上部に吹出され、全体空調の吸込口より吸込まれて負荷が処理されることから、排出空気を吹き出す煙突機能を有するといえ、両者は、「煙突」である点で、
E)「個々の机卓に組み込まれる局所冷暖房機」と「個々の机の上の卓上冷房装置(21)」とは、「個々の机卓に設けられる冷房装置」である点で、
F)「吹出口11から排出される排出空気は、やや速い風速により室上部に吹出され、全体空調の吸込口より吸込まれて負荷が処理される」ことと「室内の高温暖気を一括して室外に排気するための天井に取り付けた排気ホース(31)と、排気ホース(31)に付帯せる各机の直上の吸気ノズル(32)と、排気用換気扇風機(41)と、排気用換気扇風機(41)の対角位置の吸気穴(51)からなる、電気絶縁材煙突(26)の上昇気流で感染者が放出する感染物質を吸気ノズル(32)に伝送放出し感染症の伝播を緩和すること」とは、前者の「排出空気」は熱電素子２の放熱による高温な空気といえるから、両者は、「高温空気を吸込口より吸い込み処理する手段」である点で、
　それぞれ共通する。
G)そして、刊行物１に記載された発明の「局所空調を行う局所冷暖房機」は、個人の好みの温熱環境を作り出すことができる補助空調装置として機能するものであることから、本願発明の「個人差対応型空気調節システム」に相当する。
　したがって、上記両者の一致点および相違点は、次のとおりである。
［一致点］  
「ペルチェ効果を有する熱電素子と、
　モータと吸引プロペラとからなる室内空気を送風側と煙突側とに送出し可能な吸込器と、
　冷風吹出口と煙突とからなる個々の机卓に設けられる冷房装置と、
　高温空気を吸込口より吸い込み処理する手段とからなる個人差対応型空気調節システム。」
　
［相違点１］
　ペルチエ効果を有する熱電素子が、本願発明では、高温側スリット入電極露出板(223)と低温側スリット入電極露出板(224）により接合されたｐ型熱電半導体(221)とｎ型熱電半導体(222)とからなる冷風器(22)であるのに対して、刊行物１に記載された発明では、供給側空気の流れる方向に沿って所定間隔毎に配列され、仕切壁に具えられているペルチエ効果を有する熱電素子2である点。
　
［相違点２］
　モータと吸引プロペラとからなる室内空気を送風側と煙突側とに送出し可能な吸込器が、本願発明では、吸引モータ(231)と吸引プロペラ(232)とからなり空気を電気絶縁材の吸気ホース(24)の中に吸引し電気絶縁材煙突(26)側と電気絶縁材送風ダクト(27)側とに分ける吸引器(23)であるのに対して、刊行物１に記載された発明では、室内空気を吸込口6から電動機により駆動される供給側フアン4により吸い込み、供給側ダクトに導き、同じく、室内空気を排出側吸込口10から電動機により駆動される排出側フアン8により吸い込み、排出側ダクトに導く吸込手段である点。
　
［相違点３］
　冷風吹出口と煙突とからなる個々の机卓に設けられる冷房装置が、本願発明では、吸気ホース(24)と冷風ノズル(25)と電気絶縁材煙突(26)と人の在不在を感知して電源を自動的に操作する感熱素子(28)と温度調節器(29)からなる個々の机の上の卓上冷房装置(21)であるのに対して、刊行物１に記載された発明では、冷風を吹き出す上部吹出口7aと下流側に向けて水平方向から垂直方向に立ち上がる排出側ダクトからなる個々の事務机に組み込まれる局所冷暖房機である点。
　
［相違点４］
　高温空気を吸込口より吸い込み処理する手段が、本願発明では、室内の高温暖気を一括して室外に排気するための天井に取り付けた排気ホース(31)と、排気ホース(31)に付帯せる各机の直上の吸気ノズル(32)と、排気用換気扇風機(41)と、排気用換気扇風機(41)の対角位置の吸気穴(51)からなる、電気絶縁材煙突(26)の上昇気流で感染者が放出する感染物質を吸気ノズル(32)に伝送放出し感染症の伝播を緩和するものであり、吸気穴(51)から空気を室内に入れるのに対して、刊行物１に記載された発明では、吹出口11から排出される排出空気は、やや速い風速により室上部に吹出され、全体空調の吸込口より吸込まれて負荷が処理されるものであるが、本願発明の上記発明特定事項を具備するか否か不明である点。
　
４．当審の判断  
(1)相違点１について
　熱電素子を用いた局所冷房装置の技術分野において、ペルチェ効果を有する熱電素子を、高温側スリット入電極板と低温側スリット入電極板により接合されたｐ型熱電半導体とｎ型熱電半導体とから構成することは、本願出願前に周知の技術事項（例えば、特開平７−２６０１８５号公報の段落【0002】〜【0005】、【図9】、【図10】や特開平７−２６５１７３号公報の段落【0002】〜【0006】、【図7】、【図8】参照。）である。
　したがって、刊行物１に記載された発明の局所冷暖房機に用いるペルチェ効果を有する熱電素子として、上記周知の技術事項である熱電素子を採用することは当業者が容易になし得たものである。
　
(2)相違点２および３について
　本願発明と刊行物２に記載された発明とを対比する。
　刊行物２に記載された発明の「熱電変換素子であるペルチェ素子14」と本願発明の「高温側スリット入電極露出板(223)と低温側スリット入電極露出板(224)により接合されたｐ型熱電半導体(221)とｎ型熱電半導体(222)とからなる冷風器(22)」とは、前者の冷風器(22)について、本願明細書に「冷風器（２２）としてペルチェ効果を利用した電子冷熱器を選定した」（段落【0005】）と記載されていることから、両者は、「ペルチェ効果を有する熱電素子」である点で共通する。
　そして、刊行物２に記載された発明の「電動機駆動されるファン18とファン18からの風を第１フィン16と第２フィン17とに分ける分割手段を構成する仕切板19」と本願発明の「吸引モータ(231)と吸引プロペラ(232)とからなり吸気穴(51)から室内に入ってきた空気を電気絶縁材の吸気ホース(24)の中に吸引し電気絶縁材煙突(26)側と電気絶縁材送風ダクト(27)側とに分ける吸引器(23)」とは、後者において、ファン18と仕切板19とが内蔵されているケース10aの上流側部分は、吸気ダクトとしての機能を有し、第１フィン16側は、吹き出し口12、13を有する送気側といえ、第２フィン17側は、ペルチェ素子14の放熱を排気する排気側といえることから、両者は、「吸引モータと吸引プロペラとからなり室内空気を吸込ダクトの中に吸引し排気側と送風側とに分ける吸込手段」である点で共通し、以下同様に、
　「ケース10aのうち、ファン18と仕切板19が内蔵される上流側部分」と「吸気ホース」とは「吸込ダクト」である点で、
　「第１フィン16上を通過した冷風が吹き出るための吹き出し口12、13」と「冷風ノズル(25)」とは「冷風吹出口」である点で、
　「電源スイッチ21」と「人の在不在を感知して電源を自動的に操作する感熱素子(28)」とは、「電源操作手段」である点で、
　「学習机に取り付けられる冷暖房装置10」と「個々の机の上の卓上冷房装置(21)」とは、「机に設けられる冷房装置」である点で、それぞれ共通する。
　さらに、刊行物２に記載された発明の「温度調節つまみ23」は、その構成および機能からみて、本願発明の「温度調節器(29)」に相当する。
　したがって、刊行物２に記載された発明は、
「低コスト且つ低電力の冷房装置を提供する事を技術的課題とし、
　ペルチェ効果を有する熱電素子と、
　吸引モータと吸引プロペラとからなり室内空気を吸込ダクトの中に吸引し排気側と送風側とに分ける吸込手段と、
　吸込ダクトと、
　冷風吹出口と、
　電源操作手段と、
　温度調節器とから構成され、
　机に設けられる冷房装置。」と言い換えることができる。
　また、刊行物１および２に記載された発明は、ともに、机に設けられる熱電素子を備えた冷暖房装置という共通の技術分野に属する発明である。
　したがって、刊行物１に記載された発明に、低コスト且つ低電力のために送風手段が一つで済む刊行物２に記載された発明を適用することは当業者が容易になし得たものであり、以下にその具体的適用についての詳細を説明する。
　最初に、刊行物１に記載された発明の吸込手段に、刊行物２に記載された発明の吸込手段を適用することについて検討する。
　ここで、ダクトを電気絶縁材料で形成し漏電時の対策を施すことは、本願出願前慣用的に行われている技術事項といえ、また、ダクトをホース等の可撓性の材料で形成することは、刊行物２の摘記事項bに「可撓性を有したベローズ２４」と記載されている。
　ゆえに、刊行物１に記載された発明の吸込手段に、刊行物２に記載された発明の吸込手段を適用して、室内空気を吸込口6と排出側吸込口10とから別々に吸い込んでいたことを、共通の吸込ダクトの中に吸引するようにするとともに、供給側ダクトと排出側ダクトとに別々に導いていたことを、共通の吸込ダクトから分けて導くようにすること、かつ、当該適用に際して、各ダクトを電気絶縁材で構成するとともに、吸気ダクトをホースで構成することは当業者が容易になし得たものである。
　次に、刊行物１に記載された発明の吹出口11に、刊行物２に記載された発明の冷風吹出口を適用することについて検討する。
　ここで、冷風吹出口としてノズルを採用すことは、本願出願前慣用的に行われている技術事項といえる。
　ゆえに、刊行物１に記載された発明の吹出口11に、刊行物２に記載された発明の冷風吹出口を適用するに際して、冷風ノズルを採用することは当業者が容易になし得たものである。
　そして、刊行物１に記載された発明に、刊行物２に記載された発明の電源操作手段を適用することについて検討する。
　ここで、電源操作手段を人体の在不在を感熱素子等で感知して自動的に電源操作することは、本願出願前に周知の技術事項である（例えば、上記特開平７−２６０１８５号公報の段落【0024】、【0030】、【図7】、【図8】や上記特開平７−２６５１７３号公報の段落【0024】、【0025】、【図3】参照。）。
　ゆえに、刊行物１に記載された発明に、刊行物２に記載された発明の電源操作手段を適用するに際して、上記周知の技術事項を併せ適用して、人体の在不在を感熱素子等で感知して自動的に電源操作するようにすることは当業者が容易になし得たものである。
　最後に、刊行物１および２に記載された冷暖房装置は、机卓のデッドスペースや机卓の裏面スペースを利用して机卓に取り付けられるものであるが、机卓の天面上に十分なスペースがあるのであれば、冷暖房装置を設ける位置を机卓の天面上とすることは、当業者が適宜なし得たものである。
　これらのことから、刊行物１に記載された発明に、低コスト且つ低電力のために送風手段が一つで済む刊行物２に記載された発明を適用するに際して、上記周知の技術事項を併せ適用して、上記相違点２、３において本願発明が具備する発明特定事項に到達することは、当業者が容易になし得たものである。
　
(3)相違点４について
　本願発明と刊行物３に記載された技術事項とを対比する。
　刊行物３に記載された技術事項の「熱源上方の天井面に設けた開口」と本願発明の「排気ホース(31)に付帯せる各机の直上の吸気ノズル(32)」とは、前者において、開口は排気路に連通するものであるから、両者は、「排気ダクトに付帯せる熱源の直上の吸気口」である点で共通し、同様に、
　「該開口から便所の排気路に連通する排気路」と「室内の高温暖気を一括して室外に排気するための天井に取り付けた排気ホース(31)」とは、後者が熱源の熱を得た空気を室外排気するためのダクトであるから、両者は、「室内の高温暖気を一括して室外に排気するための天井に取り付けた排気ダクト」である点で共通する。
　そして、刊行物３に記載された発明の「排気ファン４」は、その構成および機能からみて、本願発明の「排気用換気扇風機(41)」に相当する。
　したがって、刊行物３に記載された技術事項は、
「室内の高温暖気を一括して室外に排気するための天井に取り付けた排気ダクトと、
　排気ダクトに付帯せる熱源の直上の吸気口と、
　排気用換気扇風機と
　からなる室内空気の排気構造。」と言い換えることができる。
　また、刊行物１に記載された発明は、熱電素子２の放熱による高温空気を処理する室内空気の処理技術に関するものであり、室内空気を排気して室内空気を処理する刊行物３に記載された技術事項と共通するものである。
　ここで、ダクトをホース等の可撓性の材料で形成することは、前記したように刊行物２の摘記事項bに「可撓性を有したベローズ２４」と記載され、また、ダクトに吸気ノズルを付帯させることは本願出願前に周知の技術事項である（例えば、特開２０００−１７１０８６号公報の段落【0019】、【図1】や実願昭６２−３８５６号（実開昭６３−１１３８３６号）のマイクロフィルム第4頁第4行〜同第20行、第1図参照。）。
　ゆえに、刊行物１に記載された発明の排出空気の処理構成に、室内空気を処理する刊行物３に記載された技術事項や上記の周知の技術事項を併せ適用して、室内の高温暖気を一括して室外に排気するための天井に取り付けた排気ホースと、排気ホースに付帯せる各机の直上の吸気ノズルと、排気用換気扇風機とからなる構成とすることは当業者が容易になし得たものである。
　
　次に、本願発明と刊行物４に記載された技術事項とを対比する。
　刊行物４に記載された技術事項の「天井に外気と連通する換気扇（イ）」は、その構成および機能からみて本願発明の「排気用換気扇風機(41)」に相当し、同様に、
　「換気扇（イ）の対角線位置の壁の一部に導入口（ロ）」は「排気用換気扇風機(41)の対角位置の吸気穴」に、
　「導入口（ロ）から新鮮空気を部屋に導入」することは「吸気穴(51)から空気を室内に入れる」ことに、
　それぞれ相当する。
　そして、刊行物４に記載された技術事項の「導入された新鮮空気は部屋内の汚れた空気と瞬時に混合し換気扇から外へ排気される」ことと本願発明の「電気絶縁材煙突(26)の上昇気流で感染者が放出する感染物質を吸気ノズル(32)に伝送放出し感染症の伝播を緩和すること」とは、「汚れた空気を排気すること」で共通する。
　したがって、刊行物４に記載された技術事項は、
「排気用換気扇風機、
　排気用換気扇風機の対角位置の吸気穴を設け、
　吸気穴から空気を室内に入れ、
　汚れた空気を排気する、
　換気システム。」と言い換えることができる。
　また、刊行物１に記載された発明は、熱電素子２の放熱による高温空気を処理する室内空気の処理技術に関するものであり、室内空気を換気して室内空気を処理する刊行物４に記載された技術事項と共通するものである。
　ここで、換気を感染症の対策として用いることも本願出願前に周知の技術事項である（例えば、特開２００２−１０６９０６号の段落【0002】、【0011】〜【0013】、【図2】や特開２００３−２４３９６号の段落【0017】、【0018】、【図3】参照。）。
　ゆえに、刊行物１に記載された発明の排出空気の処理構成に、室内空気を処理する刊行物４に記載された技術事項や上記の周知の技術事項を併せ適用して、排気用換気扇風機の対角位置の吸気穴からなる、電気絶縁材煙突の上昇気流で感染者が放出する感染物質を吸気ノズルに伝送放出し感染症の伝播を緩和し、吸気穴から空気を室内に入れる構成とすることは当業者が容易になし得たものである。
　
(4)小括
　本願発明の奏する効果についてみても、刊行物１、２に記載された発明、刊行物３、４に記載された技術事項および周知の技術事項から当業者が予測できた効果の範囲内のものである。
　よって、本願発明は、刊行物１、２に記載された発明、刊行物３、４に記載された技術事項および周知の技術事項から当業者が容易に発明をすることができたものである。
　
５．むすび  
　以上のとおりであるから、本願発明は、刊行物１、２に記載された発明、刊行物３、４に記載された技術事項および周知の技術事項から当業者が容易に発明をすることができたものであるので、特許法第２９条第２項の規定により特許を受けることができない。 
　
　よって、結論のとおり審決する。